【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
生体情報を記憶することが可能な外部接続機器をコンピュータに接続して、前記コンピュータの動作を制御するコンピュータの制御方法であって、
前記外部接続機器には、少なくとも前記コンピュータでの認証に用いられる複数のユーザの生体情報と、一のユーザに前記コンピュータに所定の動作を実行させるための認証条件として、複数のユーザの生体情報の照合結果の組合せの指定を含む生体情報の照合結果に基づく認証条件が記憶されていて、
前記コンピュータが、前記コンピュータへのログオンの要求を受け付けるステップと、
前記コンピュータが、前記外部接続機器に記憶された複数のユーザの生体情報と、前記複数のユーザから読み取った生体情報の照合結果を特定するステップと、
前記コンピュータが、前記外部接続機器に記憶された認証条件を読み出して、前記認証条件から前記コンピュータにログオンするための認証条件を特定するステップと、
前記コンピュータが、前記照合結果が前記コンピュータにログオンするための認証条件に合致するかを判定するステップと、を有していて、
前記照合結果が前記コンピュータにログオンするための認証条件に合致しない場合に、前記コンピュータは、前記コンピュータへのログオンの処理を実行しないこと
を特徴とするコンピュータの制御方法。
【請求項２】
前記外部接続機器には、前記複数のユーザの各々について設定されたパスワードが記憶されていて、
前記照合結果を特定するステップで特定する照合結果には、前記生体情報の照合結果と合わせて、前記外部接続機器に記憶された複数のユーザの各々のパスワードと、前記複数のユーザの各々が入力したパスワードの照合結果が含まれていること
を特徴とする請求項１記載のコンピュータの制御方法。
【請求項３】
前記照合結果が前記コンピュータにログオンするための認証条件に合致する場合に、
前記コンピュータが、前記ログオンの要求を行ったユーザに対して、パスワードの入力を要求するステップと、
前記コンピュータが、前記ユーザの入力したパスワードを受け付けるステップと、
前記コンピュータが、前記パスワードが、前記コンピュータ又は前記外部接続機器に記憶された前記ユーザについて指定されたパスワードと一致するかを判定するステップと、を有していて、
前記パスワードを受け付けるステップで受け付けたパスワードが前記ユーザについて指定されたパスワードと一致する場合に、前記コンピュータは、前記コンピュータへのログオンの処理を実行すること
を特徴とする請求項１記載のコンピュータの制御方法。
【請求項４】
生体情報を記憶することが可能な外部接続機器と、前記外部接続機器を接続したコンピュータからなるコンピュータの制御システムであって、
前記外部接続機器には、
少なくとも前記コンピュータでの認証に用いられる複数のユーザの生体情報と、一のユーザに前記コンピュータに所定の動作を実行させるための認証条件として、複数のユーザの生体情報の照合結果の組合せの指定を含む生体情報の照合結果に基づく認証条件を記憶する認証情報記憶手段が備えられ、
前記コンピュータには、
前記コンピュータへのログオンの要求を受け付けるログオン要求受付手段と、
前記外部接続機器に記憶された複数のユーザの生体情報と、前記複数のユーザから読み取った生体情報の照合結果を特定する生体情報特定手段と、
前記外部接続機器に記憶された認証条件を読み出して、前記認証条件から前記コンピュータにログオンするための認証条件を特定する認証条件特定手段と、
前記照合結果が前記コンピュータにログオンするための認証条件に合致するかを判定する判定手段と、が備えられていて、
前記判定手段において、前記照合結果が前記コンピュータにログオンするための認証条件に合致しない場合に、前記コンピュータは、前記コンピュータへのログオンの処理を実行しないこと
を特徴とするコンピュータの制御システム。
【請求項５】
前記外部接続機器の認証情報記憶手段には、前記複数のユーザの各々について設定されたパスワードが記憶されていて、
前記生体情報特定手段が特定する照合結果には、前記生体情報の照合結果と合わせて、前記認証方法記憶手段に記憶された複数のユーザの各々のパスワードと、前記複数のユーザの各々が入力したパスワードの照合結果が含まれていること
を特徴とする請求項４記載のコンピュータの制御システム。
【請求項６】
前記コンピュータには、
前記照合結果が前記コンピュータにログオンするための認証条件に合致する場合に、前記ログオンの要求を行ったユーザに対して、パスワードの入力を要求するパスワード要求手段と、
前記ユーザの入力したパスワードを受け付けるパスワード受付手段と、
前記パスワードが、前記コンピュータ又は前記外部接続機器に記憶された前記ユーザについて指定されたパスワードと一致するかを判定するパスワード判定手段と、が備えられていて、
前記パスワード受付手段の受け付けたパスワードが前記ユーザについて指定されたパスワードと一致する場合に、前記コンピュータは、前記コンピュータへのログオンの処理を実行すること
を特徴とする請求項４記載のコンピュータの制御システム。
【手続補正２】
【補正対象書類名】明細書
【補正対象項目名】００１３
【補正方法】変更
【補正の内容】
【００１３】
本願にかかる課題を解決する第１の発明は生体情報を記憶することが可能な外部接続機器をコンピュータに接続して、前記コンピュータの動作を制御するコンピュータの制御方法であって、前記外部接続機器には、少なくとも前記コンピュータでの認証に用いられる複数のユーザの生体情報と、一のユーザに前記コンピュータに所定の動作を実行させるための認証条件として、複数のユーザの生体情報の照合結果の組合せの指定を含む生体情報の照合結果に基づく認証条件が記憶されていて、前記コンピュータが、前記コンピュータへのログオンの要求を受け付けるステップと、前記コンピュータが、前記外部接続機器に記憶された複数のユーザの生体情報と、前記複数のユーザから読み取った生体情報の照合結果を特定するステップと、前記コンピュータが、前記外部接続機器に記憶された認証条件を読み出して、前記認証条件から前記コンピュータにログオンするための認証条件を特定するステップと、前記コンピュータが、前記照合結果が前記コンピュータにログオンするための認証条件に合致するかを判定するステップと、を有していて、前記照合結果が前記コンピュータにログオンするための認証条件に合致しない場合に、前記コンピュータは、前記コンピュータへのログオンの処理を実行しないことを特徴とするコンピュータの制御方法である。
【手続補正３】
【補正対象書類名】明細書
【補正対象項目名】００２５
【補正方法】変更
【補正の内容】
【００２５】
つまり、第１の発明に対応するコンピュータの制御システムは、生体情報を記憶することが可能な外部接続機器と、前記外部接続機器を接続したコンピュータからなるコンピュータの制御システムであって、前記外部接続機器には、少なくとも前記コンピュータでの認証に用いられる複数のユーザの生体情報と、一のユーザに前記コンピュータに所定の動作を実行させるための認証条件として、複数のユーザの生体情報の照合結果の組合せの指定を含む生体情報の照合結果に基づく認証条件を記憶する認証情報記憶手段が備えられ、前記コンピュータには、前記コンピュータへのログオンの要求を受け付けるログオン要求受付手段と、前記外部接続機器に記憶された複数のユーザの生体情報と、前記複数のユーザから読み取った生体情報の照合結果を特定する生体情報特定手段と、前記外部接続機器に記憶された認証条件を読み出して、前記認証条件から前記コンピュータにログオンするための認証条件を特定する認証条件特定手段と、前記照合結果が前記コンピュータにログオンするための認証条件に合致するかを判定する判定手段と、が備えられていて、前記判定手段において、前記照合結果が前記コンピュータにログオンするための認証条件に合致しない場合に、前記コンピュータは、前記コンピュータへのログオンの処理を実行しないことを特徴とするコンピュータの制御システムである。